(57)【要約】【課題】高い汎用性を維持しつつ、低騒音化を実現することができる接続工具とこれを備えたインパクト工具を提供すること。【解決手段】モータからの回転動力を減速機構部を経てインパクト機構部に伝達し、該インパクト機構部にて発生する回転打撃力を先端工具４に間欠的に伝達するインパクト工具の前記先端工具４と前記インパクト機構部（アンビル３）とを接続する接続工具１５を、アンビル３に着脱可能に装着されるソケットアダプタ（第１のアダプタ）１６と前記先端工具４を着脱可能に装着するビットアダプタ（第２のアダプタ）１７とを嵌合せしめ、その嵌合部に弾性体１８を介設して構成する。又、前記弾性体１８を、一体成形された有底筒状体で構成し、ソケットアダプタ１６とビットアダプタ１７の嵌合部の軸方向及び回転方向に介設する。【選択図】図１
2007054934.tif 000002
【特許請求の範囲】
【請求項１】
モータからの回転動力を減速機構部を経てインパクト機構部に伝達し、該インパクト機構部にて発生する回転打撃力を先端工具に間欠的に伝達するインパクト工具の前記先端工具と前記インパクト機構部とを接続する接続工具であって、
前記インパクト機構部に着脱可能に装着される第１のアダプタと前記先端工具を着脱可能に装着する第２のアダプタとを嵌合せしめ、その嵌合部に弾性体を介設して成ることを特徴とする接続工具。
【請求項２】
前記第１のアダプタと前記第２のアダプタの嵌合部の軸方向及び回転方向に前記弾性体を介設したことを特徴とする請求項１記載の接続工具。
【請求項３】
前記弾性体を、一体成形された有底筒状体で構成したことを特徴とする請求項２記載の接続工具。
【請求項４】
モータからの回転動力を減速機構部を経てインパクト機構部に伝達し、該インパクト機構部にて発生する回転打撃力を先端工具に間欠的に伝達するインパクト工具において、
前記先端工具と前記インパクト機構部とを接続工具にて着脱可能に接続するとともに、前記接続工具を、前記インパクト機構部に着脱可能に装着される第１のアダプタと前記先端工具を着脱可能に装着する第２のアダプタとを嵌合せしめ、その嵌合部に弾性体を介設して構成したことを特徴とするインパクト工具。
【請求項５】
前記接続工具の第１のアダプタと前記第２のアダプタの嵌合部の軸方向及び回転方向に前記弾性体を介設したことを特徴とする請求項４記載のインパクト工具。
【請求項６】
前記弾性体を、一体成形された有底筒状体で構成したことを特徴とする請求項５記載のインパクト工具。
【発明の詳細な説明】
【技術分野】
【０００１】
本発明は、回転打撃力を発生してネジ締めやボルト締め等の所要の作業を行うためのインパクト工具とこれに設けられる接続工具に関するものである。
【背景技術】
【０００２】
電動工具の一形態としてのインパクト工具は、モータを駆動源として回転打撃力を発生して先端工具を回転させつつ、これに打撃力を間欠的に与えてネジ締めやボルト締め等の作業を行うものであるが、反動が小さく締め付け能力が高い等の特長を有しているため、現在、広く用いられている。しかし、回転打撃力を発生するインパクト機構部を有するために作業時の騒音が大きく、この騒音が問題となっている。
【０００３】
図７に従来から使用されている一般的なインパクト工具の縦断面を示す。
【０００４】
図７に示す従来のインパクト工具は、電池パック１を電源とし、モータ２を駆動源とするものであって、モータ２からの回転動力を減速機構部を経てインパクト機構部に伝達し、該インパクト機構部にて発生する回転打撃力を先端工具４に間欠的に伝達してネジ締め等の作業を行うものである。
【０００５】
即ち、ハンマケース５に内蔵されたインパクト機構部においては、モータ２の出力軸（モータ軸）の回転は、減速機構部を構成する遊星歯車機構６を経て減速されてスピンドル７に伝達され、該スピンドル７が所定の速度で回転駆動される。ここで、スピンドル７とハンマ８とはカム機構によって連結されており、このカム機構は、スピンドル７の外周面に形成されたＶ字状のスピンドルカム溝７ａ及びハンマ８の内周面に形成されたＶ字状のハンマカム溝８ａ及びこれらのカム溝７ａ，８ａに係合するボール９で構成されている。
【０００６】
又、ハンマ８は、スプリング１０によって常に先端方向（図７の右方）に付勢されており、静止時にはボール９とカム溝７ａ，８ａとの係合によってアンビル３の端面とは隙間を隔てた位置にある。そして、ハンマ８とアンビル３の相対向する回転平面上の２箇所には凸部がそれぞれ対称的に形成されている。尚、ネジ１１と先端工具４及びアンビル３は、回転方向が互いに拘束されている。又、図７において、１４はアンビル３を回転自在に支承する軸受メタルである。
【０００７】
而して、前述のようにスピンドル７が回転駆動されると、その回転は、前記カム機構を介してハンマ８に伝達され、ハンマ８が半回転しないうちに、該ハンマ８の凸部がアンビル３の凸部に係合してアンビル３を回転させるが、そのときの係合反力によってハンマ８とスピンドル７との間に相対回転が生ずると、ハンマ８はカム機構のスピンドルカム溝７ａに沿ってスプリング１０を圧縮しながらモータ２側へと後退を始める。そして、ハンマ８の後退動によって該ハンマ８の凸部がアンビル３の凸部を乗り越えて両者の係合が解除されると、ハンマ８は、スビンドル７の回転力に加え、スプリング１０に蓄積された弾性エネルギーとカム機構の作用によって回転方向及び前方に急速に加速されつつ、スプリング１０の付勢力によって前方へと移動し、その凸部がアンビル３の凸部に再び係合して一体に回転し始める。このとき、強力な回転打撃力がアンビル３に加えられるため、該アンビル３に装着された先端工具４を介してネジ１１に回転打撃力が伝達される。
【０００８】
以後、同様の動作が繰り返されて先端工具４からネジ１１に回転打撃力が間欠的に繰り返し伝達され、該ネジ１１が被締結材である木材１２にネジ込まれる。
【０００９】
ところで、斯かるインパクト工具を用いた作業中においては、ハンマ８は回転運動と同時に前後運動も行うため、これらの運動が振動源となり、その振動エネルギーはアンビル３と先端工具４及びネジ１１を介して被締結材である木材１２に伝達される。この場合、木材１２の表面積が大きいことから、この木材１２から大きな騒音が発生する。
【００１０】
従って、騒音を下げるためには、先端工具４に伝わる軸方向の振動エネルギーと径方向の回転力の振動エネルギーを小さく抑えることが重要である。
【００１１】
そこで、特許文献１には、緩衝機能を備えた低騒音型のソケットレンチが提案されている。このソケットレンチは、ソケット部の締結対象物との接触部分に金属体を配設するとともに、ソケット部と金属体との間に緩衝体を介在させたものであって、これによれば、ボルト等の締付作業時に発生する衝撃音を緩衝体によって低減することができるため、低騒音を実現することができる。
【００１２】
又、特許文献２には、被締付材から発生する騒音を低減することができるインパクト工具が提案されている。このインパクト工具は、アンビルを回転打撃部材と先端工具装着部材とに分割し、回転打撃部材と先端工具装着部材の軸方向隙間に弾性体若しくは緩衝材を介在させたものであって、これによれば、先端工具やネジに作用する軸方向の振動エネルギーを弾性体若しくは緩衝材によって確実に低減せしめ、被締付材に伝達される振動エネルギーを小さく抑えて低騒音を実現することができる。
【特許文献１】特開平１１−２０７６４８号公報
【特許文献２】特開平７−２３７１５２号公報
【発明の開示】
【発明が解決しようとする課題】
【００１３】
ところが、特許文献１に開示されたソケットレンチでは、ボルトやナットのサイズに合わせて複数種類のソケットレンチを用意しなければならない等、汎用性に乏しいという問題があった。又、十字溝を有する木ネジ等の締め付けには用いることができないという問題もあった。
【００１４】
又、特許文献２に開示されたインパクト工具では、弾性体若しくは緩衝材を軸方向にしか介在させていないため、径方向の振動エネルギーを低減することができず、低騒音に対しては不十分であった。又、先端工具がインパクト工具本体と一体となっているため、インパクト工具本体を別途購入しなければ、例えばボルト締め用からナット締め用に変更できず、汎用性に乏しいという問題もあった。
【００１５】
本発明は上記問題に鑑みてなされたもので、その目的とする処は、高い汎用性を維持しつつ、低騒音化を実現することができる接続工具とこれを備えたインパクト工具を提供することにある。
【課題を解決するための手段】
【００１６】
上記目的を達成するため、請求項１記載の発明は、モータからの回転動力を減速機構部を経てインパクト機構部に伝達し、該インパクト機構部にて発生する回転打撃力を先端工具に間欠的に伝達するインパクト工具の前記先端工具と前記インパクト機構部とを接続する接続工具を、前記インパクト機構部に着脱可能に装着される第１のアダプタと前記先端工具を着脱可能に装着する第２のアダプタとを嵌合せしめ、その嵌合部に弾性体を介設して構成したことを特徴とする。
【００１７】
請求項２記載の発明は、請求項１記載の発明において、前記第１のアダプタと前記第２のアダプタの嵌合部の軸方向及び回転方向に前記弾性体を介設したことを特徴とする。
【００１８】
請求項３記載の発明は、請求項２記載の発明において、前記弾性体を、一体成形された有底筒状体で構成したことを特徴とする。
【００１９】
請求項４記載の発明は、モータからの回転動力を減速機構部を経てインパクト機構部に伝達し、該インパクト機構部にて発生する回転打撃力を先端工具に間欠的に伝達するインパクト工具において、前記先端工具と前記インパクト機構部とを接続工具にて着脱可能に接続するとともに、前記接続工具を、前記インパクト機構部に着脱可能に装着される第１のアダプタと前記先端工具を着脱可能に装着する第２のアダプタとを嵌合せしめ、その嵌合部に弾性体を介設して構成したことを特徴とする。
【００２０】
請求項５記載の発明は、請求項４記載の発明において、前記接続工具の第１のアダプタと前記第２のアダプタの嵌合部の軸方向及び回転方向に前記弾性体を介設したことを特徴とする。
【００２１】
請求項６記載の発明は、請求項５記載の発明において、前記弾性体を、一体成形された有底筒状体で構成したことを特徴とする。
【発明の効果】
【００２２】
請求項１及び４記載の発明によれば、インパクト工具のインパクト機構部と先端工具とを接続する接続工具を、インパクト機構部に着脱可能に装着される第１のアダプタと先端工具を着脱可能に装着する第２のアダプタを嵌合させることによって構成したため、ネジやボルトのサイズに合わせて複数種類の接続工具を用意する必要がなく、高い汎用性が確保される。又、インパクト機構部からの振動エネルギーは、接続工具に設けられた弾性体によって効果的に吸収され、先端工具からネジ等を経て被締付材へ伝達される振動エネルギーが小さく抑えられるために低騒音化が実現される。
【００２３】
請求項２及び５記載の発明によれば、弾性体を接続工具の第１のアダプタと第２のアダプタの嵌合部の軸方向及び回転方向に介設したため、インパクト機構部からの軸方向及び回転方向の振動エネルギーが弾性体によって確実に低減せしめられ、一層の低騒音化が実現される。
【００２４】
請求項３及び６記載の発明によれば、弾性体を、一体成形された有底筒状体で構成したため、これの組み込みが容易化するとともに、該弾性体が経年変化によって劣化した場合や過度の衝撃を受けて摩耗した場合等には、これを新しいものと容易に交換することができる。
【発明を実施するための最良の形態】
【００２５】
以下に本発明の実施の形態を添付図面に基づいて説明する。
【００２６】
図１は発明に係るインパクト工具先端部の側断面図、図２は図１のＡ−Ａ線断面図、図３は図１のＢ−Ｂ線断面図、図４は図１のＣ−Ｃ線断面図、図５は図１のＤ部拡大詳細図、図６は弾性体の斜視図である。
【００２７】
本発明に係るインパクト工具は、電池パックを電源とし、モータを駆動源とするコードレスの手持ち式工具であって、その構成は一部を除き図７に示した従来のインパクト工具のそれと同様である。従って、以下の説明では図７に示したものと同一構成についての再度の説明は省略し、本発明の特徴的な構成についてのみ説明する。
【００２８】
本発明に係るインパクト工具は、図１に示すように、先端工具４とインパクト機構部のアンビル３とを接続する接続工具１５を設けたことを特徴としている。
【００２９】
ここで、上記接続工具１５は、アンビル３に着脱可能に装着される第１のアダプタであるソケットアダプタ１６と先端工具４を着脱可能に装着する第２のアダプタであるビットアダプタ１７とを嵌合せしめ、その嵌合部に弾性体１８を介設して構成されている。
【００３０】
即ち、アンビル３の先端部（図１の右端）の軸中心部には六角穴３ａが形成されており（図２参照）、この六角穴３ａには、接続工具１５のソケットアダプタ１６の六角柱状の軸部１６ａが挿入嵌合されている。尚、ソケットアダプタ１６の先端部には、四角柱部１６ｂが一体に形成されている（図４参照）。
【００３１】
そして、ソケットアダプタ１６の軸部１６ａの長さ方向中間部には抜け止め用の係合溝１６ｃが全周に亘って形成されており、アンビル３の先端部の外周２箇所には長孔３ｂ（図５参照）が形成されており、各長孔３ｂには鋼球１９が径方向に移動可能に収容されている。尚、アンビル３に形成された各長孔３ｂの内径は、鋼球１９がアンビル３の六角穴３ａ内に脱落しない値に設定されている。
【００３２】
又、アンビル３の先端外周部にはガイドスリーブ２０が回転可能且つ前後方向（図１の矢印ａ，ｂ方向）に摺動可能に嵌装されており、その内周奥側（後部側）には段部２０ａ（図５参照）が一体に突設されている。そして、ガイドスリーブ２０のアンビル３からの軸方向の抜けはワッシャ２１とスナップリング２２によって防がれており、ガイドスリーブ２０は、その段部２０ａとワッシャ２１との間に縮装された圧縮スプリング２３によって後方（図１の矢印ｂ方向）に常時付勢されている。従って、通常はガイドスリーブ２０は、図５に詳細に示すように、その段部２０ａがアンビル３の段差部３ｃに当接することによって静止しており、この状態では、鋼球１９はガイドスリーブ２０の段部２０ａによって径方向内方へ押圧されてソケットアダプタ１６の軸部１６ａに形成された前記係合溝１６ｃに係合し、これによってソケットアダプタ１６がアンビル３に固定保持されるとともに、その抜けが防がれる。
【００３３】
上記状態からガイドスリーブ２０を圧縮スプリング２３の付勢力に抗して前方（図１の矢印ａ方向）へ移動させれば、該ガイドスリーブ２０の段部２０ａによる鋼球１９の径方向内方への押圧が解除され、鋼球１９のソケットアダプタ１６の係合溝１６ｃへの係合が解除されるため、ソケットアダプタ１６のアンビル３への着脱が可能となる。
【００３４】
他方、接続工具１５の前記ビットアダプタ１７の先端部の軸中心には六角穴１７ａが形成されており（図３参照）、この六角穴１７ａには、先端工具４の六角柱状の軸部４ａが挿入嵌合されている。
【００３５】
そして、先端工具４の軸部４ａの長さ方向中間部には抜け止め用の係合溝４ｂが全周に亘って形成されており、ビットアダプタ１７の先端部の外周２箇所には長孔１７ｂが形成されており、各長孔１７ｂには鋼球２４が径方向に移動可能に収容されている。尚、ビットアダプタ１７に形成された各長孔１７ｂの内径は、鋼球２４がビットアダプタ１７の六角穴１７ａ内に脱落しない値に設定されている。
【００３６】
又、ビットアダプタ１７の先端外周部にはバネ鋼板製のリング２５が嵌着されており、図１に示すように、ビットアダプタ１７の六角穴１７ａに先端工具４が装着されている状態では、鋼球２４はリング２５によって径方向内方へ押圧されて先端工具４の前記係合溝４ｂに係合し、これによって先端工具４がビットアダプタ１７に固定保持されるとともに、その抜けが防がれる。尚、ネジ１１の頭部形状に応じて先端工具４を交換する場合には、該先端工具４をビットアダプタ１７の六角穴１７ａに対して抜き差ししてこれを容易に着脱することができる。
【００３７】
ところで、ビットアダプタ１７の後端大径部１７ｃの軸中心には、後方に向かって開口する矩形穴状の嵌合穴１７ｄが形成されており、この嵌合穴１７ｄにはソケットアダプタ１６の先端部に形成された四角柱部１６ｂが嵌合し、この嵌合によってソケットアダプタ１６とビットアダプタ１７とが接続されるが、図１及び図４に示すように、両者の嵌合部の軸方向及び回転方向には着脱可能な前記弾性体１８が介設されている。
【００３８】
上記弾性体１８は、図６に示すように、ゴム等によって有底四角筒状（袋状）に一体成形されており、これがソケットアダプタ１６とビットアダプタ１７の嵌合部に介設された状態では、ソケットアダプタ１６の四角柱部１６ｂは、その全体が該弾性体１８によって覆われる。尚、弾性体１８は、脱落防止のため、径方向に０．５ｍｍ〜１ｍｍの潰し代をもって取り付けられる。
【００３９】
而して、本発明に係るインパクト工具においても、ハンマ８やアンビル３によって構成されるインパクト機構部にて発生する回転打撃力は、アンビル３から接続工具１５及び先端工具４を経てネジ１１に間欠的に繰り返し伝達され、該ネジ１１が被締結材である木材１２にネジ込まれる。
【００４０】
以上において、本発明に係るインパクト工具では、インパクト機構部を構成するアンビル３と先端工具４とを接続する接続工具１５を、アンビル３に着脱可能に装着されるソケットアダプタ１６と先端工具４を着脱可能に装着するビットアダプタ１７を嵌合させることによって構成したため、ネジやボルトのサイズに合わせて複数種類の接続工具１５を用意する必要がなく、汎用性が高められる。
【００４１】
又、インパクト機構部からの振動エネルギーは、接続工具１５のソケットアダプタ１６とビットアダプタ１７との嵌合部に設けられた弾性体１８によって効果的に吸収され、先端工具４からネジ１１を経て木材１２へ伝達される振動エネルギーが小さく抑えられるために低騒音化が実現される。特に、本実施の形態では、弾性体１８を有底四角筒状（袋状）に一体成形し、これをソケットアダプタ１６とビットアダプタ１７の嵌合部の軸方向及び回転方向に介設したため、インパクト機構部からの軸方向の振動エネルバーは弾性体１８の底部１８ａによって吸収され、回転方向の振動エネルギーは弾性体１８の外周部１８ｂによって吸収されることとなり、これによって一層の低騒音化が実現される。
【００４２】
更に、弾性体１８を有底四角筒状（袋状）に一体成形したため、これの組み込みが容易化するとともに、該弾性体１８が経年変化によって劣化した場合や過度の衝撃を受けて摩耗した場合等には、これを新しいものと容易に交換することができる。
【００４３】
以上の結果、本発明によれば、高い汎用性を維持しつつ、低騒音化を実現するという前記目的を達成することができる。
【産業上の利用可能性】
【００４４】
本発明は、回転打撃力を発生して所要の作業を行うためのハンマドリル等のインパクト工具及びこれに設けられる接続工具に適用して、特に騒音の低減を図る上で有用である。
【図面の簡単な説明】
【００４５】
【図１】発明に係るインパクト工具先端部の側断面図である。
【図２】図１のＡ−Ａ線断面図である。
【図３】図１のＢ−Ｂ線断面図である。
【図４】図１のＣ−Ｃ線断面図である。
【図５】図１のＤ部拡大詳細図である。
【図６】弾性体の斜視図である。
【図７】従来のインパクト工具の側断面図である。
【符号の説明】
【００４６】
１      電池パック
２      モータ
２ａ    出力軸（モータ軸）
３      アンビル
３ａ    六角穴
３ｂ    長孔
３ｃ    段差部
４      先端工具
４ａ    軸部
４ｂ    係合溝
５      ハンマケース
６      遊星歯車機構
７      スピンドル
７ａ    スピンドルカム溝
８      ハンマ
８ａ    ハンマカム溝
９      ボール
１０    スプリング
１１    ネジ
１２    木材
１４    軸受メタル
１５    接続工具
１６    ソケットアダプタ（第１のアダプタ）
１６ａ  軸部
１６ｂ  四角柱部
１６ｃ  係合溝
１７    ビットアダプタ（第２のアダプタ）
１７ａ  六角穴
１７ｂ  長孔
１７ｃ  後端大径部
１７ｄ  嵌合穴
１８    弾性体
１８ａ  弾性体底部
１８ｂ  弾性体外周部
１９    鋼球
２０    ガイドスリーブ
２０ａ  段部
２１    ワッシャ
２２    スナップリング
２３    圧縮スプリング
２４    鋼球
２５    リング
【図１】
2007054934.tif 000003
【図２】
2007054934.tif 000004
【図３】
2007054934.tif 000005
【図４】
2007054934.tif 000006
【図５】
2007054934.tif 000007
【図６】
2007054934.tif 000008
【図７】
2007054934.tif 000009